(57)【要約】 【目的】 遠心工程や温度変化、経時変化でインキ中に気泡を発生させず、長期間経過しても気泡発生による問題が生じないようにすることを課題とする。 【構成】 継ぎ手の先端にボールペンのチップを、後方にインキ収容管を有し、チップに内挿されたコイルスプリングの先方でチップ先端部に回転自在に抱持された先端ボールの背面を押圧して先端ボールがチップのボール抱持部の内縁に密接され、インキ収容管には基本的には低粘度であるが、静的には高い粘性を有し、筆記時の先端ボールの回転で粘性が低下してインキが流出される、所謂剪断減粘性を有した水性インキが充填され、インキの後端にはインキの消耗と共に追随するグリース状の半透明不乾性物から成るフォロアが設けられて成るボールペンリフィールに於いて、継ぎ手をＰＰ樹脂成型品となし、継ぎ手先端孔内周とチップ圧入部外周にそれぞれ突部と溝が形成され、相互間が係合されて成る。【選択図】図３
2010089517.tif 000002
【特許請求の範囲】
【請求項１】
継ぎ手の先端にボールペンのチップを、後方にインキ収容管を有し、チップに内挿されたコイルスプリングの先方でチップ先端部に回転自在に抱持された先端ボールの背面を押圧して先端ボールがチップのボール抱持部の内縁に密接され、インキ収容管には基本的には低粘度であるが、静的には高い粘性を有し、筆記時の先端ボールの回転で粘性が低下してインキが流出される、所謂剪断減粘性を有した水性インキが充填され、インキの後端にはインキの消耗と共に追随するグリース状の半透明不乾性物から成るフォロアが設けられて成るボールペンリフィールに於いて、当該ボールペンリフィールは、筆記先端部を先端口から出没可能とした筆記具に搭載されるボールペンリフィールであって、継ぎ手をＰＰ樹脂成型品となし、継ぎ手先端孔内周とチップ圧入部外周にそれぞれ突部と溝が形成され、相互間が係合されてなるボールペンリフィール。 
【請求項２】
継ぎ手とインキ収容管を略透明なＰＰ樹脂成型品としたことを特徴とする請求項１に記載のボールペンリフィール。
【発明の詳細な説明】
【技術分野】
【０００１】
本発明は、単式のノック式筆記具や主として複式筆記具などに搭載されるボールペンリフィールであって、低粘度の剪断減粘性を有する水性インキを使用したボールペンリフィールの改良に関する。
【背景技術】
【０００２】
従来知られる油性ボールペンのインキは高粘度で、筆記の際にボテ、筆記描線のムラ、濃度の薄さ、筆記圧が高い等の問題が存在する。又、従来の油性ボールペンの改良として相対的に低粘度のインキであるが、先端ボールの回転でより粘度が低下してインキがスムーズに流出する、所謂剪断減粘性を有するボールペン用水性インキを充填したボールペンが知られている。そのようなボールペンは上向き筆記をした時には先端ボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が生じる。即ち、チップ先端部が服地に接触しているとインキが吸い出されて服地を汚損する問題もある。また更に上向き筆記後やノックや落下等の衝撃後で先端ボール背面のインキが逆流傾向となる為に筆記掠れが起きる問題が存在する。（水性ボールペンのチップは油性ボールペンのチップに対して先端ボールとチップ抱持部の縦ガタが大きく設定されている。）その為に、通常はインキの後端に筆記時のインキの消耗に追随して移動するが、インキの自重や衝撃に対してインキの逆流を抑制するグリース状あるいはゲル状のフォロアが設けられる。また先端ボールがチップのボール抱持部に密接するように先端ボールの背面をスプリングで押圧する手段や必要に応じてチップの後端にボール弁を遊嵌した弁室を設ける手段が用いられている。 
【０００３】
一方、軸内の複数のノック操作部に固定された複数の筆記体を、軸内に設けた縦溝に沿って夫々摺動自在として、選択的にひとつの筆記体の先端を軸先端孔から突出させて係合し、それぞれが突出することにより他の筆記体の係合を解除してリターンスプリングの作用により軸内に収納させるようにした多色ボールペン等の複式筆記具が知られている。また先軸とガイド筒の先方を固定し、ガイド筒に設けた複数の案内溝に、摺動コマを後端に止着した複数の筆記体をガイド筒と摺動コマとの間にリターンスプリングを附勢して、それぞれ軸方向に前後動自在に嵌装し、軸方向に変位するカム斜面を有した円筒カムを、ガイド筒に対して回動且つ軸推移可能に設けて、各摺動コマをカム斜面に当接させることにより円筒カムの回転によって上記摺動コマを交互に前後動させて、各筆記体の先端を先軸の先端口から選択的に出没可能とした複式筆記具が知られている。 
【０００４】
上記のような複式筆記具に搭載するボールペンリフィールの場合、先端ボール径が０．５ｍｍ以下（０．３ｍｍ、０．４ｍｍの細字用）の場合にはインキの流出量が小さくチップ内のインキ流路が細いのでインキの直流及び逆流防止に有利である。又、インキ収容管の長さが短いほど（インキの充填長さ）、インキ収容管の内径が細いほどインキの直流及び逆流防止に対して有利である。以上のことを基にして、低粘度油性インキを使用してインキ収容管の外径を３〜３．５ｍｍ、先端ボール径を０．５ｍｍ以下とすることで、特別なインキの直流及び逆流防止機構を設けない場合でも複式筆記具用のボールペンリフィールとして筆記寿命を含めて十分使用満足感のあるものが提供可能である。又、先端ボール径が０．５ｍｍ以上、インキ収容管を長くしたりインキ収容管を薄肉の金属管と成して内孔を拡げてインキの充填量を大きくした場合、またインキを更に低粘度とした場合などには上述したインキの直流及び逆流防止機構が必要に応じて組み込まれる。 
【０００５】
また剪断減粘性を有するボールペン用水性インキとしては、高分子多糖類等の剪断減粘性付与剤を含む水性ボールペン用インキ組成物が開示されている（特開平４- ２１４７８２号公報）。この種のインキは、剪断応力が加わらない静置時は高粘度であり、ボールペン機構内において安定に保持されており、筆記時にあっては高速回転するボールによる高剪断力によってボール近傍のインキが低粘度化し、その結果インキはボールとボール収容部のすきまから吐出して紙面に転写される。また、前記紙面に転写されたインキは剪断力から解放されて再び高粘性を示すため、従来の低粘度水性ボールペンインキの欠点である筆跡の滲みを発生させない特徴がある。 
【０００６】
このような特徴を有するボールペン用水性インキは、構造が簡易である反面、剪断減粘性を維持するため、インキの調整及び充填に際して特別な配慮が必要となる。その一例として、インキ後端面にインキ中の溶剤が蒸発することを防止したり、また上述したように筆記先端部が上向き状態におけるインキの逆流を防止し、且つ筆記時にはインキの消費に伴って追従するインキ追従体（フォロアなど）を充填する必要性が挙げられる。水性インキの蒸発を防止するボールペンリフィールの樹脂材質としてＰＰ樹脂（ポリプロピレン樹脂）が優れている。またインキは外部の空気と遮断された密閉空間に存在するため、インキ中に気体が混入していると、高温下や長期間の放置によって気体が成長して気泡となり、この気泡が筆記先端部に存在するとインキの流出性に悪影響を与えるだけでなく筆記不能になる問題がある。また筆記先端部を下向きで放置するとインキとインキ追従体間に空間ができ、インキの逆流等の問題を発生する。
【０００７】
そこで上記問題を解決するためには、従来から自然放置による脱泡や機械的にインキ中の気体を取り除く脱泡処理が主に行われている。また剪断減粘性を有するインキと蒸発抑制等の役割を持つインキ追従体を、インキ収容管に収容したボールペンリフィールの製造においては、インキ収容管にインキとインキ追従体を収容する際に、インキと共に空気が供給されてしまうという問題がある。ボールペンリフィールに内包された空気がボールペンチップ内等に滞留すると、インキ通路を閉塞してインキ流出の妨げとなり、インキ流出不良をもたらす。そのために空気をボールペンリフィール外に排出する必要があるが、インキは剪断減粘性を有するため、静置状態では粘度が高く、またインキ追従体も高粘度であるため、ボールペンチップを下向きにしてもインキ収容管の後端開口部より自然に排出することはない。したがって、インキとインキ追従体を収容したボールペンリフィールにおいてペン先を下向きにした状態で遠心機にかけることによって、強制的にインキ収容管の開口後端部より空気を排出している。
【０００８】
また、前記気泡の発生を化学的に抑制するために、インキ中の溶存酸素量を規定する方法（特許文献１）やインキ中に気体を吸収する物質を添加する方法（特許文献２、特許文献３）が知られているが、前者では、気体の透過性の比較的良いポリプロピレン等の成形体をインキ収容管とした場合に２〜３年の長期間インキ中の溶存気体量を適宜不飽和状態に保つことは難しく、また後者においても年単位の長期間にわたる抑制効果が期待できない。 
【０００９】
またＰＰ樹脂製のボールペンリフィール内部に発生する気泡の発生の要因について鋭意研究を重ねた結果、遠心工程で抜けきれずボールペンリフィール内部に残在する気体が主要因であることを見いだした。またボールペンリフィールが高温下または長期間放置された場合、インキ中の水分が蒸発することにより、ボールペンリフィール内部に取り残された気体（残存気体）中の成分が変化し、前記気体成分がリフィール外気と平衡を保とうとする力が引力となって、ボールペンリフィール外部から内部に空気成分を吸収し、その結果、残存気体が成長し、気泡が発生することも解った。また遠心工程で抜けきれずボールペンリフィール内部に気体が残在する主原因として、チップ圧入部における継ぎ手内面のヒケやチップ後端部に対面する段部で起きることが判明した。
【先行技術文献】
【特許文献】
【００１０】
【特許文献１】特開平８−１８３９２３号公報
【特許文献２】特開平１１−２９３１７５号公報
【特許文献３】１１−２９８４８３号公報
【発明の概要】
【発明が解決しようとする課題】
【００１１】
そこでコイルスプリングの外周部とチップ内孔との間に空気流通路を形成し、継ぎ手はチップ後端部に対面する段部を有して後方にやや細径の孔部が後端まで貫通して設けられ、その段部の所要箇所に空気流通路が形成されるか、あるいは段部がアール又はテーパー状に形成すると効果があった。しかし、ＰＰ樹脂製の継ぎ手にすることによって気泡発生を抑制することが可能であるが、クリープしやすいことからＰＰ樹脂製の継ぎ手からチップが容易に脱落しやすいことから、本発明はそれを防止し、さらにインキの残量や色の視認性を良くすることを目的とする。
【課題を解決するための手段】
【００１２】
本発明は、上記課題を達成する為に以下の構成を有する。本発明に係るボールペンリフィールは、継ぎ手の先端にボールペンのチップを、後方にインキ収容管を有し、チップに内挿されたコイルスプリングの先方でチップ先端部に回転自在に抱持された先端ボールの背面を押圧して先端ボールがチップのボール抱持部の内縁に密接され、インキ収容管には基本的には低粘度であるが、静的には高い粘性を有し、筆記時の先端ボールの回転で粘性が低下してインキが流出される、所謂剪断減粘性を有した水性インキが充填され、インキの後端にはインキの消耗と共に追随するグリース状の半透明不乾性物から成るフォロアが設けられて成るボールペンリフィールに於いて、当該ボールペンリフィールは、筆記先端部を先端口から交互に出没可能とした筆記具に搭載されるボールペンリフィールであって、継ぎ手をＰＰ樹脂成型品となし、継ぎ手先端孔内周とチップ圧入部外周にそれぞれ突部と溝が形成され、相互間が係合されてなる。 
【００１３】
更に上記記載のボールペンリフィールに於いて、継ぎ手とインキ収容管を略透明なＰＰ樹脂成型品としたことを特徴とする。
【発明の効果】
【００１４】
本発明のボールペンリフィールは、略透明なＰＰ樹脂製の継ぎ手とチップの圧入部に係合部を設けることで経時的に信頼性の高い相互の固着が可能となる。単色のノック式筆記具への提供でも十分に効果を得ることができるが、同時にインキの残量や色の視認性が明確となることから、特に多機能で安価な複式筆記具の提供が可能となる。
【図面の簡単な説明】
【００１５】
【図１】本発明のボールペンリフィールを搭載した複式筆記具で、筆記先端部を先軸の先端口から突出させた状態を示した要部縦断面図である。
【図２】本発明のボールペンリフィールを示す縦断面図である。
【図３】ボールペンリフィールの先端部を拡大した断面図である。
【図４】チップ後端のカシメ部を示した図である。
【図５】継ぎ手のチップ圧入部に成形時に発生したヒケの状態を示した図である。
【図６】従来のボールペンリフィールの先端部を拡大した断面図である。
【発明を実施するための形態】
【００１６】
先ず、図１乃至図５は本発明の実施例を示しており、図１は一例である複式筆記具の外観を示す斜視図である。図に示すように、後軸１の後方側面には、クリップ２を嵌装する窓孔１ａと複数箇所で後端部近傍に至り縦溝１ｂが穿設されて内孔部後方には筒状でその側面にスリット１ｃを有した軸部１ｄが形成されている。又、後軸の窓孔１ａと同軸上の前方に孔部１ｅと更に前方に適宜長さの略矩形状の窓部１ｆが穿設されている。 
【００１７】
また接合部材３は、筒部３ａの後端面の中心に小孔３ｂを有した軸部と該軸部の廻りに縦溝１ｂと対応した複数の孔３ｃが穿設され、筒部３ａの外周部に突状の係合部３ｄが設けられ、その前方の鍔部の前方にネジ状の接合部３ｅが形成されている。その接合部材３が後軸１の先端側より挿入され、係合部３ｄが窓部１ｆに弾性的に貫出されると共に窓部前端の段部に当接して抜け止め係止され、後軸１は接合部材３に対して回転方向で一体に、軸方向に適宜ストロークで軸推移するように設けられている。 
【００１８】
また先方より小径部、中径部、大径部より成る係止ピン４の大径部の側面には溝４ａが穿設されてその溝の前面に傾斜状のカム面４ｂが形成され、大径部と中径部の接続部に傾斜状の段部４ｃが、中径部と小径部の接続部に段部４ｄが形成されて、軸部１ｄの端部１ｇと段部４ｄとの間にスプリング５ａが附勢された状態に係止ピン４が後軸１の後端から軸部１ｄの内孔に挿通して取付けられ、小径部の先端が小孔３ｂに嵌入し、大径部が軸部１ｄに位置して軸支されると共に、大径部の溝４ａには上記クリップ２の基部に形成した脚部２ａが窓孔１ａと軸部１ｄのスリット１ｃを挿通して嵌入され、脚部２ａの前端に形成された突出状のカム部２ｂが上記カム面４ｂに対接した状態でクリップ２が後軸１の窓孔１ａに適宜回動可能に軸支される。 
【００１９】
又、クリップ２の先端部内側に設けられた玉部２ｄが後軸１の孔部１ｅに没入した状態となる。この状態から、クリップ２の先端部を後軸１の側面から離反する方向に可動した時に、カム部２ｂがカム面４ｂを押圧して係止ピン４が前進する。尚、クリップ２の軸支手段は種々考えられるが、その一手段として脚部２ａの両側面に設けた突状の軸支部２ｃを後軸の窓孔１ａの側壁に設けた溝部に回動可能且つ抜け止め係止させている。 
【００２０】
又、ノック操作部材６は板状で、後方で外側に膨出した後端部６ａと内側に適宜突起６ｂが形成され、先方に軸部とその先端に筆記体の後端部を着脱可能に止着する係止部が形成されている。ノック操作部材６は複数個用意されてそれぞれの係止部には複数種のボールペンリフィール７が止着されてそれぞれ後軸１に穿設されたそれぞれの縦溝１ｂに嵌装され、それぞれのボールペンリフィールは接合部材３のそれぞれの孔３ｃを貫通してリターンスプリング５ｂがノック操作部材６の前段部６ｃと接合部材３の後端面との間に附勢されてそれぞれのボールペンリフィールは後軸１の後方に常時引き込まれるよう配設されている。尚、ボールペンリフィールの他にシャープペンシル筆記体、消しゴム繰り出し体などの筆記体を配設することも可能である。 
【００２１】
またボールペンリフィール７は、通常知られる高粘度域の油性インキが充填されてなる油性ボールペンあるいは低粘度油性ボールペンを使用してもよいが、本発明の主目的としては、剪断減粘性を有した水性インキが充填されてなるボールペンリフィールである。 
【００２２】
このボールペンリフィール７の構造について説明すると、図２及び図３に示すようにチップ８はインキ流入可能なチャンネルを有した座に先端ボール９が略当接した状態で、先端ボールが回転自在に抱持されるようカシメられている。又、チップ８の内孔部にコイルスプリング１０が内挿され、チップの軸部８ａの後端が適宜カシメられてコイルスプリング１０の後端が抜出不能に設けられている。また図４に示すように、チップ８の後端が所要箇所でカシメられると共に、隣接するカシメ部８ｃ間にはチップ内孔部に対して空気流通路８ｄが形成されている。即ち、チップ内孔部に対してコイルスプリング１０の内外周に空気流通路が形成されることによって気体が気泡となって残留する問題が改善される。又、コイルスプリング１０の先方には直立状の棒軸部１０ａが形成され、この棒軸部の先端が先端ボール９の後端に押圧状に当接する。尚、先端ボールはその押圧でチップ８のボール抱持部の内縁に密接状態となされる。尚、上記棒軸部１０ａの代わりに別の押圧コマが配設されてもよい。 
【００２３】
又、チップの軸部８ａの外周には周状の溝８ｂが形成されている。また継ぎ手１１は、ＰＰ樹脂成形品で、鍔部１１ａの前方に前軸部１１ｂが、後方に後軸部１１ｃが形成されている。また後軸部１１ｃの外周にはインキ収容管１２が固着され、インキ収容管１２の内孔部が継ぎ手１１の貫通孔１１ｄに導通している。また前軸部１１ｂの内孔部１１ｅに突部１１ｆが形成されており、チップ８を内孔部１１ｅに圧入した時に上記溝８ｂに突部１１ｆが係合してチップの固着力が増強される。また継ぎ手に対するチップの過圧入を防止することから、チップ後端に対面する内孔部後端に段部が設けられている。また気体が残留して気泡が発生しないように段部の所要箇所に溝状の空気流通路が形成されるか、あるいは段部１１ｇがアール又はテーパー状に設けられている。 
【００２４】
因みに図６は従来例を示しており、チップ２０の後端はコイルスプリングが抜け出さないように周状にカシメられたカシメ部２０ａが設けられている。またチップの後端に対面して継ぎ手１９の内孔部には直角な段部１９ａが形成されている。従って、インキ充填後に遠心処理してもチップの内孔部及び段部１９ａに気泡が残る問題が発生する。 
【００２５】
また図５は継ぎ手１７の内孔部に成形時のヒケ１８が生じた状態を示しており、射出成形用のＰＰ樹脂グレードを使用して射出成形するとこのヒケが発生しやすい問題がある。これに対し、押し出し成形用のＰＰ樹脂グレードを使用して所定の成形条件で射出成形するとヒケの発生を押さえることが可能となる。 
【００２６】
又、インキ収容管１２内には剪断減粘性を有する水性のインキ１３が充填され、更にインキ１３の後端にインキの消耗と共にインキ面に接触して追随して移動可能なグリース状又はゲル状のフォロア１４が配設されている。また上記インキ収容管１２はポリエチレン、ＰＰ樹脂（ポリプロピレン）、ポリエチレンテレフタレート等の熱可塑性樹脂からなる成形体が、インキの低蒸発性、生産性の面から使用可能であるが、通常は略透明のＰＰ樹脂成形品等が使用される。尚、インキ収容管の内径が常に一定のものを使用するのであれば継ぎ手１１は必ずしも必要とせず、チップ８を直接インキ収容管に固着することができる。 
【００２７】
ところでボールペンリフィールに低粘度油性インキが用いられた場合にはチップ先端部の乾燥の問題がない。又、先端ボール径が０．５ｍｍ以下（０．３ｍｍ、０．４ｍｍの細字用）の場合には、先端ボールとチップ抱持部の縦ガタを小さく、且つチップ内のインキ流路が細く、更にインキ収容管の外径を３〜３．５ｍｍとすることで、上述したようなインキの直流及び逆流防止機構を設けない場合でもインキの直流及び逆流が防止可能であり、複式筆記具用のボールペン筆記体の替え芯として筆記寿命を含めて十分使用満足感のあるものが提供可能である。しかしながら、剪断減粘性を有する水性インキ、先端ボール径が０．５ｍｍ以上した場合、インキ収容管を長くしたりインキ収容管を薄肉の金属管と成して内孔を拡げてインキの充填量を大きくした場合、又、インキを更に低粘度とした場合などには上述したようなインキの直流及び逆流防止機構が必要に応じて組み込まれる。 
【００２８】
また先軸１５は、透明で握り部に略不透明（不透明または軸継ぎ手の形状や色が不明瞭に見える程度）なグリップ１６が被覆され、少なくともグリップの前方とグリップの後方が透視可能となされている。グリップ１６は先軸に別部材として被嵌あるいは先軸の成形時に於いて２色成形などで形成される。従って、各筆記体の後方部位が先軸のグリップ後方の透明部１５ａから視認可能となる。またボールペンリフィール７の継ぎ手１１は略透明と成された場合、図１に示すように筆記先端部が先軸の先端口から突出した状態に於いて、継ぎ手１１が先軸先方の透明部から視認可能となるのでインキの残量や色が容易に確認できる。又、略透明とした継ぎ手の後方にステンレス等の薄肉筒状のインキ収容管を固着すれば、インキの充填量を増やすことができ筆記寿命を延ばすことが可能となる。尚、金属製のインキ収容管はＰＰ樹脂成形品に対して、より細く、インキ充填量をより多く、インキの揮発減量を確実に防止する点で優れている。 
【００２９】
本発明のボールペンリフィールは、チップの軸部８ａの外周には周状の溝８ｂが形成され、前軸部１１ｂの内孔部１１ｅに突部１１ｆが形成されて、チップ８を内孔部１１ｅに圧入した時に上記溝８ｂに突部１１ｆが係合してチップの固着力が増強されている。因みに、係合部を設けない場合の固着力（チップが抜ける力）が略９．８Ｎなのに対し係合部を設けると２４．５Ｎに増強される。またＰＰ樹脂製の継ぎ手は圧入力だけでは温度変化によるクリープでさらに低下するが、係合力の低下は特に影響されないので経時的には係合部を備えた場合の固着の信頼性は高い。チップの固着力を上げる理由は、耐落下や耐ノック衝撃、筆記時の耐曲げ強度などによる。またボールペンリフィールが長期間未使用状態にあるとき、初期品質が維持されるようにペン先にホットメルト樹脂によるシール部が設けられる。このシール部は筆記時に指先で除去されるが、そのときチップに対し４．９Ｎ〜９．８Ｎ程度の引抜き力がかかる可能性があり、それに耐える必要がある。また押し出し成形用の略透明なＰＰ樹脂グレードを使用して所定の成形条件で射出成形することによりヒケの発生を押さえることが可能となり、上述した気泡が残留することによって生じるインキの逆流や筆記不良などの問題が解消可能となると共にインキの残量や色の視認性が明確となる。特にインキ収容管が金属製の場合に必須の条件となる。 
【００３０】
次に本発明のボールペンリフィールを複式筆記具に搭載したものについて説明する。図１は複数本の筆記体を有するものであるが、図示が複雑となるため一本の筆記体を搭載した状態で他を省略して示している。先ず、ノック操作部材６の後端部６ａをノックして軸先方に摺動させ、後端部を後軸１の軸部１ｄ先端の端部１ｇに係合させるとボールペンリフィール７の筆記先端部が先軸先端口から突出する。この状態からクリップ２の先端部を後軸側面から離反する方向に可動させると、それと連動して脚部のカム部２ｂが係止ピン４のカム面４ｂを押圧して前進させ、傾斜状の段部４ｃがノック操作部材６の突起６ｂに当接し、後端部と軸部前端の端部１ｇとの係止状態を解除して筆記先端部は軸先端口より先軸１５内に没入する。又、他の筆記体の場合も同様に作用する。
【００３１】
又、筆記先端部が先軸の先端口から突出した状態でクリップ２をポケット等に差した場合、上述したように筆記先端部が先端口内に没入するので筆記先端部で服を汚す心配がない。尚、クリップの玉部２ｄが軸筒の孔部１ｅに深く没入しているので、例え薄地の服であってもクリップ先端部の離反ストロークは十分確保され、従ってノック操作部材の係止が確実に解除可能となる。また各ボールペンリフィールが先軸の先端口から突出した状態に於いて、継ぎ手が先軸先方の透明部から視認され、目下突出した筆記体の描線色が何色か明瞭に表示される。
【符号の説明】
【００３２】
１ 後軸
１ａ 窓孔
１ｂ 縦溝
１ｃ スリット
１ｄ 軸部
１ｅ 孔部
１ｆ 窓部
１ｇ 端部
２ クリップ
２ａ 脚部
２ｂ カム部
２ｃ 軸支部
２ｄ 玉部
３ 接合部材
３ａ 筒部
３ｂ 小孔
３ｃ 孔
３ｄ 係合部
３ｅ 係合部
４ 係止ピン
４ａ 溝
４ｂ カム面
４ｃ 段部
４ｄ 段部
５ａ スプリング
５ｂ リターンスプリング
６ａ 後端部
６ｂ 突起
６ｃ 前段部
７ ボールペンリフィール
８ チップ
８ａ 軸部
８ｂ 溝
８ｃ カシメ部
８ｄ 空気流通路
９ 先端ボール
１０ コイルスプリング
１０ａ 棒軸部
１０ｂ 座巻き部
１１ 継ぎ手
１１ａ 鍔部
１１ｂ 前軸部
１１ｃ 後軸部
１１ｄ 貫通孔
１１ｅ 内孔部
１１ｆ 突部
１１ｇ 段部
１２ インキ収容管
１３ インキ
１４ フォロア
１５ 先軸
１５ａ 透明部
１６ グリップ
１７ 継ぎ手
１８ ヒケ
１９ 継ぎ手
１９ａ 段部
１９ｂ 貫通孔
１９ｃ 内孔部
２０ チップ
２０ａ カシメ部
【図１】
2010089517.tif 000003
【図２】
2010089517.tif 000004
【図３】
2010089517.tif 000005
【図４】
2010089517.tif 000006
【図５】
2010089517.tif 000007
【図６】
2010089517.tif 000008